【手続補正書】
【提出日】平成21年9月28日(2009.9.28)
【手続補正１】
【補正対象書類名】特許請求の範囲
【補正対象項目名】全文
【補正方法】変更
【補正の内容】
【特許請求の範囲】
【請求項１】
情報記録媒体を適用したデータ記録または再生に伴うデータ処理を実行するコンテンツ管理アプリケーション実行部と、
情報記録媒体に対する記録データ制御処理を実行する記録制御部とを有し、
前記コンテンツ管理アプリケーション実行部は、
前記情報記録媒体に対するコンテンツ記録フォーマットに対応するデータ再生シーケンスに従った処理によって取得されるコンテンツ管理アプリケーションを実行し、情報記録媒体に対するデータ記録を開始させるために必要な処理を行なう構成であることを特徴とする情報処理装置。
【請求項２】
前記情報記録媒体に対するコンテンツ記録フォーマットはＢＤＭＶフォーマットであり、
前記コンテンツ管理アプリケーション実行部は、
ＢＤＭＶフォーマットに対応するデータ再生シーケンスに従って読み出されるコンテンツ管理アプリケーションを実行し、情報記録媒体に対するデータ記録を開始させるために必要な処理を行なう構成であることを特徴とする請求項１に記載の情報処理装置。
【請求項３】
前記コンテンツ管理アプリケーション実行部は、
（ａ）処理許可情報取得のためのサーバアクセス処理、
（ｂ）サーバからの許容処理リストの取得処理、
（ｃ）ユーザによる処理選択情報のサーバへの送信処理
（ｄ）決済処理、
（ｅ）サーバからの処理許可情報の取得処理、チェック処理、コピー許可情報の記録制御部への出力、
（ｆ）記録制御部の実行するコンテンツコピー処理の監視処理、
（ｇ）記録制御部の実行するサーバからのダウンロードデータの書き込み処理の監視処理、
上記（ａ）〜（ｇ）の少なくともいずれかの処理を実行する構成であることを特徴とする請求項１に記載の情報処理装置。
【請求項４】
前記コンテンツ管理アプリケーション実行部は、
ユーザに対する処理案内データとしての表示データを生成し表示部に出力するとともに、ユーザからの入力を検出し、検出情報に応じた処理を実行する構成であることを特徴とする請求項１に記載の情報処理装置。
【請求項５】
前記コンテンツ管理アプリケーションは、前記情報処理装置の記憶手段に記録されており、
前記コンテンツ管理アプリケーション実行部は、
前記記憶手段から読み出したコンテンツ管理アプリケーションを実行する構成であることを特徴とする請求項１に記載の情報処理装置。
【請求項６】
前記コンテンツ管理アプリケーションの基本データ部は前記情報処理装置の記憶手段に記録され、追加データ部はサーバが保持し、
前記コンテンツ管理アプリケーション実行部は、
前記サーバから前記コンテンツ管理アプリケーションの追加データ部を取得し、前記記憶手段から読み出したコンテンツ管理アプリケーションの基本部分と併せて統合したコンテンツ管理アプリケーションを実行する構成であることを特徴とする請求項１に記載の情報処理装置。
【請求項７】
前記コンテンツ管理アプリケーション実行部は、
第１の情報記録媒体に記録されたコンテンツを、第２の情報記録媒体にコピーするために必要な手続き処理を実行する構成であり、
コピーに対する管理処理を実行する管理サーバにアクセスし、該管理サーバにコピー処理に必要なデータ送信を実行して許可情報を取得する処理を行なう構成であることを特徴とする請求項１に記載の情報処理装置。
【請求項８】
前記コンテンツ管理アプリケーションは前記第１の情報記録媒体に記録され、
前記コンテンツ管理アプリケーション実行部は、
前記第１の情報記録媒体から読み出したコンテンツ管理アプリケーションを実行する構成であることを特徴とする請求項７に記載の情報処理装置。
【請求項９】
前記コンテンツ管理アプリケーションは、前記管理サーバが保持し、該コンテンツ管理アプリケーションのダウンロードプログラムが前記第１の情報記録媒体に記録され、
前記コンテンツ管理アプリケーション実行部は、
前記第１の情報記録媒体から読み出したダウンロードプログラムを実行して、前記管理サーバからコンテンツ管理アプリケーションを取得して実行する構成であることを特徴とする請求項７に記載の情報処理装置。
【請求項１０】
前記コンテンツ管理アプリケーション実行部は、
コンテンツサーバからのコンテンツダウンロードおよび情報記録媒体に対するダウンロードコンテンツ記録に伴う手続き処理を実行する構成であり、
コンテンツ提供処理を実行するコンテンツサーバにアクセスし、該コンテンツサーバにダウンロード処理に必要なデータ送信を実行してコンテンツ取得処理を行なう構成であることを特徴とする請求項１に記載の情報処理装置。
【請求項１１】
前記コンテンツ管理アプリケーション実行部は、
情報記録媒体格納コンテンツの再生に際して必要となるオンライン再生情報をサーバから取得するオンライン再生処理に伴う手続き処理を実行する構成であり、
オンライン再生情報の提供処理を実行するサーバにアクセスし、該サーバに対して、オンライン再生情報の受信処理に必要なデータ送信を実行してオンライン再生情報の取得処理を行なう構成であることを特徴とする請求項１に記載の情報処理装置。
【請求項１２】
前記コンテンツ管理アプリケーション実行部は、
複数のコンテンツ管理アプリケーションを、情報記録媒体およびサーバから取得し、取得した複数のコンテンツ管理アプリケーションを組み合わせて実行する構成であることを特徴とする請求項１に記載の情報処理装置。
【請求項１３】
情報処理装置からコピー処理またはダウンロード処理対象のコンテンツ識別子であるコンテンツＩＤ、または機器ＩＤ、またはユーザＩＤの少なくともいずれかの識別情報を受信するデータ通信部と、
前記データ通信部において受信した識別情報に基づいて、コピー処理またはダウンロード処理に伴う手続き処理を実行するためのコンテンツ管理アプリケーションを選択してデータ通信部を介して出力するデータ処理部と、
を有することを特徴とする情報処理サーバ。
【請求項１４】
前記データ処理部は、
コピー処理またはダウンロード処理に伴う手続き処理を実行するためのコンテンツ管理アプリケーションの更新情報を選択してデータ通信部を介して出力する処理を実行する構成であることを特徴とする請求項１３に記載の情報処理サーバ。
【請求項１５】
情報処理装置において、情報記録媒体を適用したデータ記録または再生制御を行なう情報処理方法であり、
コンテンツ管理アプリケーション実行部が、情報記録媒体を適用したデータ記録または再生に伴うデータ処理を実行するコンテンツ管理アプリケーション実行ステップと、
記録制御部が、情報記録媒体に対する記録データ制御処理を実行する記録制御ステップとを有し、
前記コンテンツ管理アプリケーション実行ステップは、
前記情報記録媒体に対するコンテンツ記録フォーマットに対応するデータ再生シーケンスに従った処理によって取得されるコンテンツ管理アプリケーションを実行し、情報記録媒体に対するデータ記録を開始させるために必要な処理を行なうステップであることを特徴とする情報処理方法。
【請求項１６】
情報処理装置との通信を実行する情報処理サーバにおいて実行する情報処理方法であり、
データ通信部において、情報処理装置からコピー処理またはダウンロード処理対象のコンテンツ識別子であるコンテンツＩＤ、または機器ＩＤ、またはユーザＩＤの少なくともいずれかの識別情報を受信するデータ通信ステップと、
データ処理部において、前記データ通信部が受信した識別情報に基づいて、コピー処理またはダウンロード処理に伴う手続き処理を実行するためのコンテンツ管理アプリケーションを選択してデータ通信部を介して出力するデータ処理ステップと、
を有することを特徴とする情報処理方法。
【請求項１７】
情報処理装置において、情報記録媒体を適用したデータ記録または再生制御を行なわせるコンピュータ・プログラムであり、
コンテンツ管理アプリケーション実行部に、情報記録媒体を適用したデータ記録または再生に伴うデータ処理を実行させるコンテンツ管理アプリケーション実行ステップと、
記録制御部に、情報記録媒体に対する記録データ制御処理を実行させる記録制御ステップとを有し、
前記コンテンツ管理アプリケーション実行ステップは、
前記情報記録媒体に対するコンテンツ記録フォーマットに対応するデータ再生シーケンスに従った処理によって取得されるコンテンツ管理アプリケーションを実行し、情報記録媒体に対するデータ記録を開始させるために必要な処理を行なわせるステップであることを特徴とするコンピュータ・プログラム。
【請求項１８】
情報処理装置との通信を実行する情報処理サーバにおいて情報処理を実行させるコンピュータ・プログラムであり、
データ通信部に、情報処理装置からコピー処理またはダウンロード処理対象のコンテンツ識別子であるコンテンツＩＤ、または機器ＩＤ、またはユーザＩＤの少なくともいずれかの識別情報を受信させるデータ通信ステップと、
データ処理部に、前記データ通信部が受信した識別情報に基づいて、コピー処理またはダウンロード処理に伴う手続き処理を実行するためのコンテンツ管理アプリケーションを選択してデータ通信部を介して出力させるデータ処理ステップと、
を実行させることを特徴とするコンピュータ・プログラム。
【手続補正２】
【補正対象書類名】明細書
【補正対象項目名】００２８
【補正方法】削除
【補正の内容】
【手続補正３】
【補正対象書類名】明細書
【補正対象項目名】００２９
【補正方法】削除
【補正の内容】
【手続補正４】
【補正対象書類名】明細書
【補正対象項目名】００３０
【補正方法】削除
【補正の内容】
【手続補正５】
【補正対象書類名】明細書
【補正対象項目名】００３１
【補正方法】削除
【補正の内容】
【手続補正６】
【補正対象書類名】明細書
【補正対象項目名】００３２
【補正方法】削除
【補正の内容】
【手続補正７】
【補正対象書類名】明細書
【補正対象項目名】００３３
【補正方法】削除
【補正の内容】
【手続補正８】
【補正対象書類名】明細書
【補正対象項目名】００３４
【補正方法】削除
【補正の内容】
【手続補正９】
【補正対象書類名】明細書
【補正対象項目名】００３５
【補正方法】削除
【補正の内容】
【手続補正１０】
【補正対象書類名】明細書
【補正対象項目名】００３６
【補正方法】削除
【補正の内容】
【手続補正１１】
【補正対象書類名】明細書
【補正対象項目名】００３７
【補正方法】削除
【補正の内容】
【手続補正１２】
【補正対象書類名】明細書
【補正対象項目名】００３８
【補正方法】削除
【補正の内容】
【手続補正１３】
【補正対象書類名】明細書
【補正対象項目名】００４０
【補正方法】削除
【補正の内容】